(57)【要約】      （修正有）【課題】特別な知識なしに、一般生活で通用する簡略化された住所表現から、正規の住所文字列を検索可能な検索問い合わせ式を生成できるようにする。【解決手段】住所を表す文字列を入力する入力手段と、単語と品詞との対応を示す辞書と、複数の品詞の接続が許可されるか否かを示す品詞接続情報と、住所品詞の下位に所属する住所品詞を示す住所接続情報とが保管されたデータ部と、入力手段によって文字列が入力されると、辞書と品詞接続情報に基づいて、入力された文字列の形態素解析を行い、この文字列を、品詞分解する品詞分解手段と、品詞分解して得られた単語をその品詞に対応する住所接続情報と照合し、単語と単語の間に省略された文字がある場合に、この間に任意の文字が含まれているという意味のメタ文字を追加して、検索問い合わせ式を作成する検索問い合わせ式生成手段とを備えることを特徴とする検索問い合わせ式生成装置。【選択図】図９
2007072940.tif 000002
【特許請求の範囲】
【請求項１】
不正確な住所が入力された場合、補完又は修正して実在する住所を生成する検索問い合わせ式生成装置であって、
住所を表す文字列を入力する入力手段と、
単語と品詞との対応を示す辞書と、複数の品詞の接続が許可されるか否かを示す品詞接続情報と、住所品詞の下位に所属する住所品詞を示す住所接続情報とが保管されたデータ部と、
入力手段によって文字列が入力されると、辞書と品詞接続情報に基づいて、入力された文字列の形態素解析を行い、この文字列を、品詞分解する品詞分解手段と、
品詞分解して得られた単語をその品詞に対応する住所接続情報と照合し、単語と単語の間に省略された文字がある場合に、この間に任意の文字が含まれているという意味のメタ文字を追加して、検索問い合わせ式を作成する検索問い合わせ式生成手段とを備えることを特徴とする検索問い合わせ式生成装置。
【請求項２】
前記データ部は、曖昧検索対象文字と曖昧メタ文字との対応を示す曖昧処理辞書を保管し、
前記検索問い合わせ式生成手段は、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成することを特徴とする請求項１に記載の検索問い合わせ式生成装置。
【請求項３】
単語と品詞との対応を示す辞書と、複数の品詞の接続が許可されるか否かを示す品詞接続情報と、住所品詞の下位に所属する住所品詞を示す住所接続情報とが保管されたデータ部を備え、不正確な住所が入力された場合、補完又は修正して実在する住所を生成する検索問い合わせ式生成装置が実行する方法であって、
住所を表す文字列を入力させる入力工程と、
文字列が入力されると、辞書と品詞接続情報に基づいて、入力された文字列の形態素解析を行い、この文字列を、品詞分解する品詞分解工程と、
品詞分解して得られた単語をその品詞に対応する住所接続情報と照合し、単語と単語の間に省略された文字がある場合に、この間に任意の文字が含まれているという意味のメタ文字を追加して、検索問い合わせ式を作成する検索問い合わせ式生成工程とを含むことを特徴とする検索問い合わせ式生成方法。
【請求項４】
前記データ部は、曖昧検索対象文字と曖昧メタ文字との対応を示す曖昧処理辞書を保管し、
前記検索問い合わせ式生成工程は、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成することを特徴とする請求項３に記載の検索問い合わせ式生成方法。
【請求項５】
不正確な住所が入力された場合、補完又は修正して実在する住所を生成するために、
単語と品詞との対応を示す辞書と、複数の品詞の接続が許可されるか否かを示す品詞接続情報と、住所品詞の下位に所属する住所品詞を示す住所接続情報とが保管されたデータ部を備えたコンピュータを、
住所を表す文字列を入力する入力手段、
入力手段によって文字列が入力されると、辞書と品詞接続情報に基づいて、入力された文字列の形態素解析を行い、この文字列を、品詞分解する品詞分解手段、
品詞分解して得られた単語をその品詞に対応する住所接続情報と照合し、単語と単語の間に省略された文字がある場合に、この間に任意の文字が含まれているという意味のメタ
文字を追加して、検索問い合わせ式を作成する検索問い合わせ式生成手段として機能させるための検索問い合わせ式生成プログラム。
【請求項６】
前記データ部は、曖昧検索対象文字と曖昧メタ文字との対応を示す曖昧処理辞書を保管し、
前記検索問い合わせ式生成手段は、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成することを特徴とする請求項５に記載の検索問い合わせ式生成プログラム。
【発明の詳細な説明】
【技術分野】
【０００１】
本発明は、検索問い合わせ式を生成する技術に関する。
【背景技術】
【０００２】
昔から、情報検索は、広く利用されている一般的な技術である。適用範囲の広い一般的な文章であれば、全文検索エンジンが利用できる。また、構造が整理された情報であれば、リレーショナルデータベースといったものが利用できる。
【０００３】
ところで、住所はある程度構造化された情報であり、理論的にはリレーショナルデータベース上で検索することができる。しかしながら、一般社会で通用する住所表現は、リレーショナルデータベース上には表現しきれない。これは主に、大字、小字などといった区画を省略しても位置情報が一意に定まるような場合に、それらが省略されることが原因である。仮に、適切な検索問い合わせを与えることで一般社会に通用する住所表現から本来の正規な表現の住所を検索可能になるように、リレーショナルデータベース上にデータが構築できるのであれば、この検索を行うことは不可能ではない。しかし、そのためには住所構造に詳しいオペレータが必要となる。一般向けに住所情報検索サービスを行うためには、そのような特別な知識なしに一般社会で通用する住所表現から直接検索が行える必要がある。
【０００４】
地図検索システムにおいて、住所を入力することにより地図を検索する場合、住所が正確に入力されないと、検索者の意図する結果が検索されない場合がある。また、特許文献１のような場合もある。特許文献１には、検索住所文字列に対応する住所データを検索できないとき、この検索住所文字列の後方から適宜文字又は文字列を削除して、この検索住所文字列を修正し、修正された検索住所文字列に対応する住所データを検索する技術が記載されている。しかしながら、修正された検索住所文字列に対応する住所データを検索した場合、検索の結果得られる住所データには、検索住所文字列に対応する本来の正規な表現の住所以外の住所も含まれる可能性がある。
【特許文献１】特開２００３−１８６８８０号公報
【発明の開示】
【発明が解決しようとする課題】
【０００５】
本発明は斯かる背景技術に鑑みてなされたもので、特別な知識なしに、一般生活で通用する簡略化された住所表現から、正規の住所文字列を検索可能な検索問い合わせ式を生成できるようにすることを課題とする。
【課題を解決するための手段】
【０００６】
本発明において上記課題を達成するために、まず請求項１の発明では、
不正確な住所が入力された場合、補完又は修正して実在する住所を生成する検索問い合わせ式生成装置であって、
住所を表す文字列を入力する入力手段と、
単語と品詞との対応を示す辞書と、複数の品詞の接続が許可されるか否かを示す品詞接続情報と、住所品詞の下位に所属する住所品詞を示す住所接続情報とが保管されたデータ部と、
入力手段によって文字列が入力されると、辞書と品詞接続情報に基づいて、入力された文字列の形態素解析を行い、この文字列を、品詞分解する品詞分解手段と、
品詞分解して得られた単語をその品詞に対応する住所接続情報と照合し、単語と単語の
間に省略された文字がある場合に、この間に任意の文字が含まれているという意味のメタ文字を追加して、検索問い合わせ式を作成する検索問い合わせ式生成手段とを備えることを特徴とする検索問い合わせ式生成装置としたものである。
【０００７】
また請求項２の発明では、
前記データ部は、曖昧検索対象文字と曖昧メタ文字との対応を示す曖昧処理辞書を保管し、
前記検索問い合わせ式生成手段は、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成することを特徴とする請求項１に記載の検索問い合わせ式生成装置としたものである。
【０００８】
また請求項３の発明では、
単語と品詞との対応を示す辞書と、複数の品詞の接続が許可されるか否かを示す品詞接続情報と、住所品詞の下位に所属する住所品詞を示す住所接続情報とが保管されたデータ部を備え、不正確な住所が入力された場合、補完又は修正して実在する住所を生成する検索問い合わせ式生成装置が実行する方法であって、
住所を表す文字列を入力させる入力工程と、
文字列が入力されると、辞書と品詞接続情報に基づいて、入力された文字列の形態素解析を行い、この文字列を、品詞分解する品詞分解工程と、
品詞分解して得られた単語をその品詞に対応する住所接続情報と照合し、単語と単語の間に省略された文字がある場合に、この間に任意の文字が含まれているという意味のメタ文字を追加して、検索問い合わせ式を作成する検索問い合わせ式生成工程とを含むことを特徴とする検索問い合わせ式生成方法としたものである。
【０００９】
また請求項４の発明では、
前記データ部は、曖昧検索対象文字と曖昧メタ文字との対応を示す曖昧処理辞書を保管し、
前記検索問い合わせ式生成工程は、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成することを特徴とする請求項３に記載の検索問い合わせ式生成方法としたものである。
【００１０】
また請求項５の発明では、
不正確な住所が入力された場合、補完又は修正して実在する住所を生成するために、
単語と品詞との対応を示す辞書と、複数の品詞の接続が許可されるか否かを示す品詞接続情報と、住所品詞の下位に所属する住所品詞を示す住所接続情報とが保管されたデータ部を備えたコンピュータを、
住所を表す文字列を入力する入力手段、
入力手段によって文字列が入力されると、辞書と品詞接続情報に基づいて、入力された文字列の形態素解析を行い、この文字列を、品詞分解する品詞分解手段、
品詞分解して得られた単語をその品詞に対応する住所接続情報と照合し、単語と単語の間に省略された文字がある場合に、この間に任意の文字が含まれているという意味のメタ文字を追加して、検索問い合わせ式を作成する検索問い合わせ式生成手段として機能させるための検索問い合わせ式生成プログラムとしたものである。
【００１１】
また請求項６の発明では、
前記データ部は、曖昧検索対象文字と曖昧メタ文字との対応を示す曖昧処理辞書を保管し、
前記検索問い合わせ式生成手段は、曖昧処理辞書に基づいて、検索問い合わせ式の中に
、曖昧検索対象文字が含まれているか否かを判断し、含まれている場合に、この曖昧検索対象文字を、曖昧メタ文字に置換えて、最終的な検索問い合わせ式を作成することを特徴とする請求項５に記載の検索問い合わせ式生成プログラムとしたものである。
【発明の効果】
【００１２】
請求項１、３、及び５の発明は、一般生活で通用する簡略化された住所表現で、ある区画を表す文字又は文字列が省略されていても、この住所表現から、正規の住所文字列を検索可能な検索問い合わせ式を生成できるという効果がある。
【００１３】
請求項２、４、及び６の発明は、一般生活で通用する簡略化された住所表現で、曖昧検索の対象となる文字が使用されていても、この住所表現から、正規の住所文字列を検索可能な検索問い合わせ式を生成できるという効果がある。
【００１４】
以上、本発明は、特別な知識なしに、一般生活で通用する簡略化された住所表現から、正規の住所文字列を検索可能な検索問い合わせ式を生成できるという効果がある。従って、本発明は、地図検索システムに対して、特別な知識なしに、一般生活で通用する簡略化された住所表現から、この住所表現に対応する地図を検索して表示することに応用できるという効果がある。
【発明を実施するための最良の形態】
【００１５】
以下に、本発明の最良の一実施形態を説明する。
【００１６】
１．構成
本実施形態装置は、図１に示すように、ハードウェア資源として、ＣＰＵと、主記憶装置と、補助記憶装置と、入力装置と、出力装置と、通信制御装置と、バスとを備え、そして、ＣＰＵと、主記憶装置と、補助記憶装置と、入力装置と、出力装置と、通信制御装置とが、バスに接続され、そして、通信制御装置によりネットワークに接続されているコンピュータである。ここで、ＣＰＵ、主記憶装置、補助記憶装置は、それぞれ、中央処理装置、内部記憶装置、外部記憶装置とも呼ばれる。また、入力装置は、キーボードのように、文字を入力する機能を有する。
【００１７】
以下、単に、ＣＰＵ、主記憶装置と、補助記憶装置、入力装置、出力装置、通信制御装置、バスというときは、それぞれ、本実施形態装置に利用するコンピュータが備えるものを指すこととする。
【００１８】
ネットワークには、図１に示すように、端末も接続される。この端末は、携帯電話などの携帯端末、或は、パソコンなどのコンピュータである。この例に限らず、本実施形態装置は、検索者が操作するコンピュータとネットワークで接続されていても、一体となっていても構わない。
【００１９】
本実施形態装置の補助記憶装置には、辞書と、品詞接続情報と、住所接続情報と、曖昧処理辞書とが保存されている。
【００２０】
辞書は、図２に示すように、形態素解析に必要な単語と品詞の対応表である。また、図２に示すように、品詞には、特殊な意味をもたせるための副次情報をもつこともある。品詞は一般には「名詞」「動詞」などといったものを指すが、本実施形態は住所に特化したものであるため、語彙を住所に限定した、独自の品詞体系を用いている。その内容は例えば、「県名」「市名」「町域名」などといったものである。
【００２１】
品詞接続情報は、形態素解析を行う際に参考とするための情報であって、その内容は、
図３に示すように、2からN（Ｎは２以上の自然数）までの品詞の接続が許可されるか否かを羅列したものある。図３の例では、○で許可されるもの、×で許可されないものを表す。
【００２２】
ここで、形態素解析とは、任意の文章を、意味を持つ最小の単語単位（形態素）に分解する作業である。単語は、形態素の一種である。図４に形態素解析の例を示す。図４の例では、「東京都文京区水道」という文章を、品詞分解することにより、単語とその品詞に分解したものである。また、図４の例では、分解して得られた単語とその品詞とを、品詞が最上位のものを先頭にして、順に、下位のものを後にして並べられている。
【００２３】
住所接続情報は、図５に示すように、「県」「市」など各種住所品詞の下位に所属する品詞情報を記録したものである。
【００２４】
曖昧処理辞書は、図６に示すように、「ケ」や「の」など、曖昧検索の対象となる文字（以後、曖昧検索対象文字も云う）と、この文字を曖昧に検索するためのメタ文字（以後、曖昧メタ文字とも云う）との対応表である。ここで、メタ文字とは、問い合わせに用いる特殊な文字のことで、記述された文字列そのままでは検索されず、特殊な意味を持つものである。曖昧メタ文字は、曖昧検索対象文字に対して、検索対象となる文字の範囲を意味するものである。図６の曖昧処理辞書では、例えば、「市ヶ谷」のような入力語があった場合には「ヶ」がすでに辞書にあるので対応できるが、「市谷」のように読みとしては「いちがや」であるけれども間に「ヶ」のような文字がない場合、そのままでは対応しきれない。そこで辞書に「市谷」に対応する曖昧検索として「市[ケガけがヶ]谷」を用意する。入力がマッチした場合には変換をして「市谷」「市ヶ谷」などを同時に検索できるようにする。
【００２５】
２．処理
以下に、ユーザの文字列入力から検索問い合わせ式を生成するために、本実施形態装置が実行する処理の大まかな流れを、図７のフローチャートに従って説明する。
【００２６】
Ｓ（ＳＴＥＰ）１；
ＣＰＵは、ネットワークを介して端末から、或は、入力装置から、ユーザの文字列入力を受け付けて、入力された文字列（以後、入力語とも云う）を主記憶装置に記憶する。
【００２７】
Ｓ（ＳＴＥＰ）２；
ＣＰＵは、辞書と品詞接続情報に基づいて、入力された文字列の形態素解析を行い、この文字列を品詞分解して、単語とその品詞を抽出する。
【００２８】
形態素解析の例は、既に図４に示した。尚、形態素解析のとき、辞書に見当たらない単語に、品詞として、図８に示すように、未知語が与えられる。そして、未知語が多い場合（例えば、入力語の先頭に未知語が２つ以上連続している場合）、辞書に存在しない住所が入力されたと判断され、その段階でエラーとされる。
【００２９】
Ｓ（ＳＴＥＰ）３；
ＣＰＵは、品詞分解して得られた単語をその品詞に対応する住所接続情報と照合することによって、単語と単語の間に省略された文字があるか否かを判断し、ある場合に、この間に任意の文字が含まれているという意味のメタ文字＊を追加して、検索問い合わせ式を作成する。
【００３０】
図９に、ＳＴＥＰ３の処理例を示す。図９の例では、住所接続情報には、町名の下位品詞が大字であり、かつ、大字の下位品詞が大字町域名であると記されていることから、品
詞が町名である熊野町という単語と、品詞が大字町域名である石神という単語の間に、品詞が大字である単語が省略されていると判断される。そのため、熊野町と、石神との間に、メタ文字＊を追加した検索問い合わせ式「広島県安芸群熊野町＊石神」が生成される。この検索問い合わせ式「広島県安芸群熊野町＊石神」で、住所検索を行うと、「広島県安芸群熊野町大字石神」という正規住所文字列にマッチする。
【００３１】
Ｓ（ＳＴＥＰ）４；
ＣＰＵは、曖昧処理辞書に基づいて、検索問い合わせ式の中に、曖昧検索対象文字が含まれているか否かを判断し、含まれている場合に、この曖昧検索対象文字を、曖昧メタ文字に置換えて、最終的な検索問い合わせ式を作成する。
【００３２】
図１０に、ＳＴＥＰ４の処理例を示す。図１０の例では、曖昧処理辞書には、「ヶ」という文字は、「［ヶケがガ］？」というメタ文字に置換えると記されていることから、検索問い合わせ式「市ヶ谷」の「ヶ」は、「［ヶケがガ］？」というメタ文字に置換されて、検索問い合わせ式「市［ヶケがガ］？谷」が生成される。この検索問い合わせ式「市［ヶケがガ］？谷」で、住所検索を行うと、正規住所文字列が、「市ヶ谷」、「市谷」、「市が谷」、「市ケ谷」、「市ガ谷」の何れであってもヒットする。
【００３３】
以下に、ＳＴＥＰ２の処理の詳細な流れを、図１１のフローチャートに従って説明する。
【００３４】
Ｓ（ＳＴＥＰ）２１；
ＣＰＵは、主記憶装置から入力語を取り出し、この入力語に対して、辞書と品詞接続情報に基づいて、入力された文字列の形態素解析を行い、この文字列を、品詞分解して、単語とその品詞を抽出し、内部記憶装置に、単語とその品詞とを、品詞が最上位のものを先頭にして、順に、下位のものを後にして並べて（図４参照）記憶する。この際、ＣＰＵは、辞書に見当たらない単語に、品詞として、未知語を与える（図８参照）。
【００３５】
Ｓ（ＳＴＥＰ）２２；
ＣＰＵは、内部記憶装置から、、品詞分解して得られた単語とその品詞とを読み取り、未知語が多いか否かを判断し、
多い場合、ＳＴＥＰ２３に進み、
多くない場合、終了に進む。
【００３６】
未知語が多いか否かの判断基準は、例えば、入力語の先頭に未知語が２つ以上連続している場合を多いとし、入力語の先頭に未知語がないか、或は、あっても１つの場合を多くないとしても良い。
【００３７】
Ｓ（ＳＴＥＰ）２３；
ＣＰＵは、エラー処理を行う。
【００３８】
以下に、ＳＴＥＰ３の処理の詳細な流れを、図１２のフローチャートに従って説明する。
【００３９】
Ｓ（ＳＴＥＰ）３１；
ＣＰＵは、主記憶装置上の問い合わせ式記憶領域に記憶されているデータを消去する。
【００４０】
Ｓ（ＳＴＥＰ）３２；
ＣＰＵは、形態素解析の結果として、主記憶装置に記憶された単語とその品詞を、先頭から、単語１つ分取り出す。
【００４１】
Ｓ（ＳＴＥＰ）３３；
ＣＰＵは、取り出した単語の品詞が、主記憶装置上の問い合わせ式領域に最後に追加した単語の品詞の下位に所属するか否かを、住所接続情報に確かめ、
下位に所属する場合、取り出した単語と、主記憶装置上の問い合わせ式領域に最後に追加した単語との間に省略された文字がないとして、ＳＴＥＰ３５に飛び、
下位に所属しない場合、取り出した単語と、主記憶装置上の問い合わせ式領域に最後に追加した単語との間に省略された文字があるとして、ＳＴＥＰ３４に進む。
【００４２】
Ｓ（ＳＴＥＰ）３４；
ＣＰＵは、主記憶装置上の問い合わせ式領域に最後に追加した単語と、取り出した単語との間に任意の文字が含まれているという意味のメタ文字＊を、主記憶装置上の問い合わせ式領域に追加する。
【００４３】
Ｓ（ＳＴＥＰ）３５；
ＣＰＵは、取り出した単語を、主記憶装置上の問い合わせ領域に追加する。
【００４４】
Ｓ（ＳＴＥＰ）３６；
ＣＰＵは、形態素解析の結果として、主記憶装置に記憶された単語とその品詞の中で、未だに取り出されずに残っているものがあるか否かを確かめ、
残っている場合、ＳＴＥＰ３２に戻り、
残っていない場合、主記憶装置上の問い合わせ領域に順次追加した単語又はメタ文字＊からなる文字列を、検索問い合わせ式として、終了に進む。
【００４５】
以下に、ＳＴＥＰ４の処理の詳細な流れを、図１３のフローチャートに従って説明する。
【００４６】
Ｓ（ＳＴＥＰ）４１；
ＣＰＵは、主記憶装置上の問い合わせ領域に記憶された検索問い合わせ式の先頭から、順次文字を読み出す。
【００４７】
Ｓ（ＳＴＥＰ）４２；
ＣＰＵは、読み出した文字が曖昧検索対象文字であるか否かを、曖昧処理辞書に確かめ、
曖昧検索対象文字である場合、読み出した文字に対応する曖昧メタ文字を、曖昧処理辞書から読み出して、ＳＴＥＰ４３に進み、
曖昧検索対象文字でない場合、ＳＴＥＰ４４に進む。
【００４８】
Ｓ（ＳＴＥＰ）４３；
ＣＰＵは、読み出した文字に対応する曖昧メタ文字を、主記憶装置に出力する。
【００４９】
Ｓ（ＳＴＥＰ）４４；
ＣＰＵは、読み出した文字を、そのまま、主記憶装置に出力する。
【００５０】
Ｓ（ＳＴＥＰ）４５；
ＣＰＵは、主記憶装置上の問い合わせ領域に記憶された検索問い合わせ式の先頭から、まだ読み出されてない文字が残っているか否かを確かめ、
残っている場合、ＳＴＥＰ４１に戻り、
残っていない場合、主記憶装置に順次出力された文字からなる文字列を、最終的な検索問い合わせ式として、終了に進む。
【図面の簡単な説明】
【００５１】
【図１】本実施形態装置に利用するコンピュータのハードウェア構成を示す図。
【図２】辞書の例を示す図。
【図３】品詞接続情報の例を示す図。
【図４】形態素解析の例を示す図。
【図５】住所接続情報の例を示す図。
【図６】曖昧処理辞書の例を示す図。
【図７】ユーザの文字列入力から検索問い合わせ式を生成するために、本実施形態装置が実行する処理の大まかな流れを示す図。
【図８】未知語判定の例を示す図。
【図９】ＳＴＥＰ３の処理例を示す図。
【図１０】ＳＴＥＰ４の処理例を示す図。
【図１１】ＳＴＥＰ２の処理の詳細な流れを示すフローチャート。
【図１２】ＳＴＥＰ３の処理の詳細な流れを示すフローチャート。
【図１３】ＳＴＥＰ４の処理の詳細な流れを示すフローチャート。
【図１】
2007072940.tif 000003
【図２】
2007072940.tif 000004
【図３】
2007072940.tif 000005
【図４】
2007072940.tif 000006
【図５】
2007072940.tif 000007
【図６】
2007072940.tif 000008
【図７】
2007072940.tif 000009
【図８】
2007072940.tif 000010
【図９】
2007072940.tif 000011
【図１０】
2007072940.tif 000012
【図１１】
2007072940.tif 000013
【図１２】
2007072940.tif 000014
【図１３】
2007072940.tif 000015